(57)【特許請求の範囲】
【請求項１】
走行車に連結される本体部と、この本体部に回動可能に設けられ回動により作業状態および非作業状態に切り換えられる延長作業部と、この延長作業部に回動可能に設けられ作業状態および非作業状態に切り換えられる追加整地部とを有する作業機本体と、
前記本体部の端部に設けられ、この本体部の端部位置を視認するための第１光発生手段と、
前記延長作業部の端部に設けられ、この延長作業部の端部位置を視認するための第２光発生手段と、
前記追加整地部の端部に設けられ、この追加整地部の端部位置を視認するための第３光発生手段とを備え、
前記延長作業部が作業状態に設定されかつ前記追加整地部が作業状態に設定された状態では、前記第３光発生手段が点灯し、
またこの状態から前記追加整地部が非作業状態に切り換えられると、前記第２光発生手段が点灯し、
さらにこの状態から前記延長作業部が非作業状態に切り換えられると、前記第１光発生手段が点灯する
ことを特徴とする農作業機。
【請求項２】
本体部の端部に第１光発生手段と近接状に設けられた第１補助光発生手段と、
延長作業部の端部に第２光発生手段と近接状に設けられた第２補助光発生手段とを備え、
前記延長作業部が作業状態に設定されかつ追加整地部が作業状態に設定された状態では、第３光発生手段が点灯して一の色の光を発するとともに、前記第２補助光発生手段が点灯して一の色とは異なる他の色の光を発し、
またこの状態から前記追加整地部が非作業状態に切り換えられると、前記第２光発生手段が点灯して一の色の光を発するとともに、前記第１補助光発生手段が点灯して一の色とは異なる他の色の光を発し、
さらにこの状態から前記延長作業部が非作業状態に切り換えられると、前記第１光発生手段が点灯して一の色の光を発する
ことを特徴とする請求項１記載の農作業機。
【請求項３】
本体部に設けられ、延長作業部の非作業状態時にこの延長作業部に押されてオンする第１スイッチ部と、
前記延長作業部に設けられ、追加整地部の非作業状態時にこの追加整地部に押されてオンする第２スイッチ部とを備え、
前記延長作業部が作業状態に設定されかつ前記追加整地部が作業状態に設定された状態では、第３光発生手段が点灯して一の色の光を発するとともに、第２補助光発生手段が点灯して一の色とは異なる他の色の光を発し、
またこの状態から前記追加整地部が非作業状態に切り換えられると、前記第２スイッチ部がオンして、第２光発生手段が点灯して一の色の光を発するとともに、第１補助光発生手段が点灯して一の色とは異なる他の色の光を発し、
さらにこの状態から前記延長作業部が非作業状態に切り換えられると、前記第１スイッチ部がオンして、第１光発生手段が点灯して一の色の光を発する
ことを特徴とする請求項２記載の農作業機。
【発明の詳細な説明】
【技術分野】
【０００１】
本発明は、発光ダイオード（ＬＥＤ）等の光発生手段を備える農作業機に関するものである。
【背景技術】
【０００２】
従来、例えば走行車であるトラクタの連結される機体と、機体のチェーンケース部およびブラケット部間に回転可能に設けられた耕耘体と、耕耘体の上方部を覆うカバー体と、カバー体の後端部に設けられた整地体とを備えた耕耘砕土機等の農作業機が知られている（例えば、特許文献１参照）。
【特許文献１】実開昭５８−８５９１１号公報（第１図）
【発明の開示】
【発明が解決しようとする課題】
【０００３】
しかしながら、上記従来のような幅広の農作業機では、例えば早朝や夕刻等の薄暗い時には、トラクタの運転席から農作業機の側端位置を視認しずらいため、作業時の作業効率性が悪くなるという問題があり、また一方では安全性確保の観点から畦道等を通る人や車等に注意を促す必要がある。
【０００４】
本発明は、このような点に鑑みなされたもので、効率良く作業ができ、しかも畦道等を通る人や車等に注意を促すことができ、安全性を確保できる農作業機を提供することを目的とする。
【課題を解決するための手段】
【０００５】
請求項１記載の農作業機は、走行車に連結される本体部と、この本体部に回動可能に設けられ回動により作業状態および非作業状態に切り換えられる延長作業部と、この延長作業部に回動可能に設けられ作業状態および非作業状態に切り換えられる追加整地部とを有する作業機本体と、前記本体部の端部に設けられ、この本体部の端部位置を視認するための第１光発生手段と、前記延長作業部の端部に設けられ、この延長作業部の端部位置を視認するための第２光発生手段と、前記追加整地部の端部に設けられ、この追加整地部の端部位置を視認するための第３光発生手段とを備え、前記延長作業部が作業状態に設定されかつ前記追加整地部が作業状態に設定された状態では、前記第３光発生手段が点灯し、またこの状態から前記追加整地部が非作業状態に切り換えられると、前記第２光発生手段が点灯し、さらにこの状態から前記延長作業部が非作業状態に切り換えられると、前記第１光発生手段が点灯するものである。
【０００６】
請求項２記載の農作業機は、請求項１記載の農作業機において、本体部の端部に第１光発生手段と近接状に設けられた第１補助光発生手段と、延長作業部の端部に第２光発生手段と近接状に設けられた第２補助光発生手段とを備え、前記延長作業部が作業状態に設定されかつ追加整地部が作業状態に設定された状態では、第３光発生手段が点灯して一の色の光を発するとともに、前記第２補助光発生手段が点灯して一の色とは異なる他の色の光を発し、またこの状態から前記追加整地部が非作業状態に切り換えられると、前記第２光発生手段が点灯して一の色の光を発するとともに、前記第１補助光発生手段が点灯して一の色とは異なる他の色の光を発し、さらにこの状態から前記延長作業部が非作業状態に切り換えられると、前記第１光発生手段が点灯して一の色の光を発するものである。
【０００７】
請求項３記載の農作業機は、請求項２記載の農作業機において、本体部に設けられ、延長作業部の非作業状態時にこの延長作業部に押されてオンする第１スイッチ部と、前記延長作業部に設けられ、追加整地部の非作業状態時にこの追加整地部に押されてオンする第２スイッチ部とを備え、前記延長作業部が作業状態に設定されかつ前記追加整地部が作業状態に設定された状態では、第３光発生手段が点灯して一の色の光を発するとともに、第２補助光発生手段が点灯して一の色とは異なる他の色の光を発し、またこの状態から前記追加整地部が非作業状態に切り換えられると、前記第２スイッチ部がオンして、第２光発生手段が点灯して一の色の光を発するとともに、第１補助光発生手段が点灯して一の色とは異なる他の色の光を発し、さらにこの状態から前記延長作業部が非作業状態に切り換えられると、前記第１スイッチ部がオンして、第１光発生手段が点灯して一の色の光を発するものである。
【発明の効果】
【０００８】
本発明によれば、作業時に作業機本体の端部位置を容易に視認でき、効率良く作業ができ、しかも畦道等を通る人や車等に注意を促すことができ、安全性を確保できる。
【発明を実施するための最良の形態】
【０００９】
本発明の農作業機の一実施の形態を図面を参照して説明する。
【００１０】
図１および図２において、１は幅広の農作業機で、この農作業機１は、走行車であるトラクタ（図示せず）の後部に連結された状態で、トラクタの走行により圃場上を進行方向前方に移動しながら耕耘整地作業をする装置等である。
【００１１】
なお、農作業機１は、図１および図２示す例えば３分割の折畳み式のロータリやハロー等であるが、図示しないが２分割の折畳み式のものでもよい。
【００１２】
この図１および図２に示す折畳み式の農作業機１は、トラクタの後部に連結される本体部（中央作業部）21と、この本体部21の左右両端部に軸23を介して上下回動可能に設けられ略１８０度の回動により作業状態および非作業状態に切り換えられる左右一対の延長作業部22とを有する折畳み可能な作業機本体24を備えている。
【００１３】
本体部21は、トラクタの後部の３点リンク（作業機昇降装置）に連結される機体31を備えている。機体31には、トラクタ側からの動力を入力する入力軸32が回転可能に設けられている。入力軸32には、トラクタのＰＴＯ軸がユニバーサルジョイントおよび伝動シャフト等を介して連結される。また、機体31は左右方向に長手状のフレームパイプ部33を有し、フレームパイプ部33の長手方向両端部にはチェーンケース部34およびブラケット部35が設けられている。そして、機体31のチェーンケース部34およびブラケット部35間には、入力軸32側からの動力に基づいて所定方向に回転しながら耕耘作業をする耕耘体（図示せず）が回転可能に設けられている。耕耘体は、左右方向の回転軸を有し、回転軸には複数の耕耘爪が放射状に突設されている。
【００１４】
さらに、機体31には、耕耘体の上方部を覆う湾曲板状のカバー体37が設けられている。そして、カバー体37の後端部には、耕耘体の後方で整地作業をする略板状の整地体（図示せず）がこの整地体の上端側の左右方向の回動中心軸線を中心として上下方向に回動可能に設けられている。整地体は、第１整地板（均平板）および第２整地板（レーキ）等にて構成されている。
【００１５】
延長作業部22は、中央の本体部21の機体31の側端部に軸23を介して上下回動可能に設けられた延長機体41を備えている。延長機体41には、本体部21の耕耘体側からの動力に基づいて所定方向に回転しながら耕耘作業をする延長耕耘体（図示せず）が回転可能に設けられている。延長耕耘体は、左右方向の回転軸を有し、回転軸には複数の耕耘爪が放射状に突設されている。
【００１６】
さらに、延長機体41には、延長耕耘体の上方部を覆う湾曲板状の延長カバー体42が設けられている。そして、延長カバー体42の後端部には、延長耕耘体の後方で整地作業をする略板状の延長整地体（図示せず）がこの延長整地体の上端側の左右方向の回動中心軸線を中心として上下方向に回動可能に設けられている。延長整地体は、第１延長整地板（均平板）および第２延長整地板（レーキ）等にて構成されている。
【００１７】
そして、作業機本体24は、作業状況等に応じて、本体部21と左右両方の延長作業部22とにて作業をする状態と、本体部21と左右いずれか一方の延長作業部22とにて作業をする状態と、本体部21のみで作業する状態とに切換え可能となっている。また、各延長作業部22の延長整地体の第２延長整地板の外端部には、略１８０度の回動により作業状態および非作業状態になる追加整地部である追加整地板部（サイドレーキ）44が回動可能に設けられている。
【００１８】
また、折畳み式の農作業機１は、両延長作業部22の非作業状態時に作業機本体24の中央の本体部21の側端部位置（作業機本体11のトラクタより側方に突出した側端部位置）をトラクタの運転席から視認するための複数、例えば２つの第１光発生手段（光発生手段）51を備えている。
【００１９】
第１光発生手段51は、例えば赤色の光を発する発光ダイオード（ＬＥＤ）にて構成され、本体部21の機体31の左右の側端部の上部にそれぞれ設けられている。また、本体部21の機体31の左右の側端部の上部には、例えば青色の光を発する発光ダイオード（ＬＥＤ）にて構成された第１補助光発生手段52が第１光発生手段51と近接状に設けられている。
【００２０】
さらに、折畳み式の農作業機１は、両延長作業部22が作業状態で両追加整地板部44が非作業状態である時に作業機本体24の左右の延長作業部22の外側端部位置（作業機本体11のトラクタより側方に突出した側端部位置）をトラクタの運転席から視認するための複数、例えば２つの第２光発生手段54（光発生手段）を備えている。
【００２１】
第２光発生手段54は、例えば赤色の光を発する発光ダイオード（ＬＥＤ）にて構成され、一方の第２光発生手段54が一方の延長作業部22の延長機体41の外側端部の上部に設けられ、他方の第２光発生手段54が他方の延長作業部22の延長機体41の外側端部の上部に設けられている。また、各延長作業部22の延長機体41の外側端部の上部には、例えば青色の光を発する発光ダイオード（ＬＥＤ）にて構成された第２補助光発生手段55が第２光発生手段54と近接状に設けられている。
【００２２】
また、折畳み式の農作業機１は、両延長作業部22が作業状態で両追加整地板部44も作業状態である時（最大作業幅の状態時）に作業機本体24の左右の追加整地板部44の外側端部位置（作業機本体11のトラクタより側方に突出した側端部位置）をトラクタの運転席から視認するための複数、例えば２つの第３光発生手段（光発生手段）57を備えている。
【００２３】
第３光発生手段57は、例えば赤色の光を発する発光ダイオード（ＬＥＤ）にて構成され、一方の第３光発生手段57が一方の追加整地板部44の外側端部の上部に設けられ、他方の第３光発生手段57が他方の追加整地板部44の外側端部の上部に設けられている。なお、各光発生手段51，52，54，55，57は、前方向および後方向の両方から視認可能となっている。
【００２４】
また、作業機本体24の本体部21の機体31のフレームパイプ部33には、延長作業部22の非作業状態時に延長作業部22に押されてオンする第１リミットスイッチ（第１スイッチ部）61が設けられている。第１リミットスイッチ61がオンすると、対応する第１光発生手段51が点灯する。また、延長作業部22の延長カバー体42には、追加整地板部44の非作業状態時に追加整地板部44に押されてオンする第２リミットスイッチ（第２スイッチ部）62が設けられている。第２リミットスイッチ62がオンすると、対応する第２光発生手段54および第１補助光発生手段52が点灯する。なお、第１リミットスイッチ61および第２リミットスイッチ62のオフ状態では、対応する第３光発生手段57および第２補助光発生手段55が点灯する。
【００２５】
次に、上記折畳み式の農作業機１の作用等を説明する。
【００２６】
例えば早朝や夕刻等の薄暗い時において、最大幅で作業をする際には、左右の延長作業部22を作業状態に設定するとともに、左右の追加整地板部44を作業状態に設定する。
【００２７】
この状態では、図示しない操作スイッチがオン操作されると、作業機本体24の追加整地板部44の側端部に設けられた左右の２つの第３光発生手段57が点灯して赤色（一の色）の光を発し、作業機本体24の延長作業部22の側端部に設けられた左右の２つの第２補助光発生手段55が点灯して青色（一の色とは異なる他の色）の光を発する。
【００２８】
また、この最大作業幅の状態から左右の追加整地板部44を非作業状態に切り換えると、第２リミットスイッチ62がオンし、作業機本体24の延長作業部22の側端部に設けられた左右の２つの第２光発生手段54が点灯して赤色の光を発し、作業機本体24の本体部21の側端部に設けられた左右の２つの第１補助光発生手段52が点灯して青色の光を発する。
【００２９】
さらに、この状態から左右の延長作業部22を非作業状態に切り換えると、第１リミットスイッチ61がオンし、作業機本体24の本体部21の側端部に設けられた左右の２つの第１光発生手段51が点灯して赤色の光を発する。
【００３０】
なお、図２に示すように、一方の延長作業部22のみを非作業状態に切り換えた場合には、一方の第１リミットスイッチ61のみがオンし、本体部21の一方の側端部に設けられた第１光発生手段51が点灯して赤色の光を発し、他方の延長作業部22の側端部に設けられた第２光発生手段54が点灯して赤色の光を発し、本体部21の他方の側端部に設けられた第１補助光発生手段52が点灯して青色の光を発する。
【００３１】
したがって、この折畳み式の農作業機１によれば、トラクタの運転席に座った作業者は、辺りが薄暗くても、耕耘整地作業中の作業機本体24の側端部位置をトラクタの運転席から容易に視認でき、よって、効率良く作業ができる。また、圃場に沿った畦道等を通る人や車等に注意を促すことができ、安全性を確保できる。
【００３２】
なお、図１および図２に示す折畳み式の農作業機１において、補助光発生手段52，55を設けなかった場合には、最大作業幅の状態では左右の２つの第３光発生手段57が点灯して赤色の光を発し、この最大作業幅の状態から左右の追加整地板部44を非作業状態に切り換えると左右の２つの第２光発生手段54が点灯して赤色の光を発し、この状態から左右の延長作業部22を非作業状態に切り換えると左右の２つの第１光発生手段51が点灯して赤色の光を発する。
【００３３】
なお、光発生手段が発する光の色は、赤や青には限定されず任意であり、また光を発するものであればＬＥＤ以外でもよい。
【００３４】
また、作業機本体の前端部位置を視認するための光発生手段を備える構成や、作業機本体の後端部位置を視認するための光発生手段を備える構成等でもよい。
【図面の簡単な説明】
【００３５】
【図１】本発明の農作業機の一実施の形態を示す正面図である。
【図２】同上農作業機の折畳み状態を示す正面図である。
【符号の説明】
【００３６】
１    農作業機
21    本体部
22    延長作業部
24    作業機本体
44 追加整地部である追加整地板部
51    第１光発生手段
52 第１補助光発生手段
54    第２光発生手段
55 第２補助光発生手段
57 第３光発生手段
61 第１スイッチ部である第１リミットスイッチ
62 第２スイッチ部である第２リミットスイッチ
【図１】
0004533211.tif 000002
【図２】
0004533211.tif 000003